(57)【要約】【課題】  例えば、再生専用のパッケージメディアとして、同一のメディア種別内で記録されるコンテンツデータのコーデックが異なるようにされる場合に、各メディアでコンテンツデータの品質が異なることによるユーザの混乱を回避する。【解決手段】  例えば記録媒体に記録されるコンテンツデータのコーデックに応じた再生信号品質の別による区分を設け、その区分情報を記録媒体に対して少なくとも可視的に記録する。これによってユーザは記録媒体に記録されるコンテンツデータの品質を知ることができ、パッケージメディアに記録されるコンテンツデータの品質が異なるようにされることによるユーザの混乱を回避できる。【選択図】図２
2006092628.tif 000002
【特許請求の範囲】
【請求項１】
データ信号により所要の情報が記録される記録媒体として、
上記データ信号により記録される情報に関連した所要の区分を示す区分情報が、少なくとも可視的に記録されていることを特徴とする記録媒体。
【請求項２】
再生専用の記録媒体であることを特徴とする請求項１に記載の記録媒体。
【請求項３】
上記区分情報は、上記データ信号により記録されるコンテンツデータについての再生信号品質の区分を示すことを特徴とする請求項１に記載の記録媒体。
【請求項４】
上記区分情報は、上記データ信号により記録されるコンテンツデータをコーディングしたコーデックの区分を示すことを特徴とする請求項１に記載の記録媒体。
【請求項５】
上記区分情報は、上記データ信号により記録されるコンテンツデータとして、異なるコーデックによりコーディングされたコンテンツデータが混在して記録されているか否かの区分を示すことを特徴とする請求項１に記載の記録媒体。
【請求項６】
上記区分情報は、上記データ信号により記録されるコンテンツデータについての管理情報として、データ信号によっても記録されることを特徴とする請求項１に記載の記録媒体。
【請求項７】
上記管理情報として記録される区分情報には、上記コンテンツデータについての再生信号品質の区分を示す品質区分情報と、上記コンテンツデータをコーディングしたコーデックの別を示すコーデック区分情報とが含まれる、
ことを特徴とする請求項６に記載の記録媒体。
【請求項８】
上記管理情報として記録される区分情報には、上記データ信号により記録されるコンテンツデータとして異なるコーデックによりコーディングされたコンテンツデータが混在して記録されているか否かの区分を示す情報が含まれる、
ことを特徴とする請求項６に記載の記録媒体。
【発明の詳細な説明】
【技術分野】
【０００１】
本発明は、所要の情報がデータ信号により記録される記録媒体に関する。
【背景技術】
【０００２】
記録媒体に対するコンテンツデータの記録符号化としては、種々のコーデックが提案され、記録可能時間の拡大や再生データ品質の向上が図られつつある。
このように種々のコーデックが存在する現状では、例えば同一のメディア種別による記録媒体に対し、それぞれ異なるコーデックによりコンテンツデータを記録するということが行われる。つまり、例えばＣＤ−Ｒ（Cmpact Disc Rocrdable）に対してリニアＰＣＭ（Pulse Code Modulation）によるコンテンツデータやＭＰ３（MPEG Audio Layer-3）のコンテンツデータが記録されたり、ＭＤ（Mini Disc：光磁気ディスク）に対してリニアＰＣＭによるコンテンツデータやＡＴＲＡＣ３（Adaptive TRansform Acoustic Cording 3）によるコンテンツデータが記録されるといったものである。
【０００３】
この場合、記録装置においては、ユーザに所望のコーデックを選択させてコンテンツデータを記録できるようにしている。そして、これによりユーザは、例えばより高圧縮のコーデックを選択することで、同一容量の記録媒体に対してより長時間のコンテンツを記録することができるようにされる。或いは、より低圧縮のコーデックを選択することで高品質なコンテンツデータを記録するといったことが可能となる。
【０００４】
ところで、上記のようにして同一メディア種別による記録媒体に対して異なるコーデックによるコンテンツデータが記録される場合、そのメディアに対応する再生装置側では、データ再生のためにコンテンツデータのコーデックの情報が正しく認識される必要がある。
このため従来の記録媒体においては、下記特許文献にも示されているように管理情報内に各コンテンツデータと対応付けてそのコーデックの情報を記憶しておくことで、再生装置側でコンテンツデータの再生に用いるべきコーデックの情報を参照できるようにしたものがある。
【特許文献１】特開２００２−２０８２６４号公報
【発明の開示】
【発明が解決しようとする課題】
【０００５】
ここで、上記例では記録媒体がライタブルディスクである場合を挙げたが、再生専用ディスク（パッケージメディア）についても、同様に同一メディア種別内で異なるコーデックによるコンテンツデータを記録することが考えられる。
つまり、同一メディア種別によるパッケージメディアについて、或るメディアでは高圧縮のコーデックによりコンテンツの収録時間を多くし、また、或るメディアでは低圧縮としてコンテンツの再生信号品質を高めるといったものである。
【０００６】
しかしながら、このことは、同一メディア種別のパッケージメディアであるにも関わらず、それぞれに記録されるコンテンツデータの品質にばらつきが生じることを意味する。
例えば、現状におけるパッケージメディアとして、音楽ＣＤでは、同一のコーデックが採用されて一様に同等音質のコンテンツデータが記録されている。このことを考慮すると、上記のように同一種別のパッケージメディア間でデータ品質が異なる状況は、ユーザに対して混乱を与える虞がある。
【課題を解決するための手段】
【０００７】
そこで、本発明では以上のような問題点に鑑み、記録媒体として以下のようにすることとした。
つまり、本発明の記録媒体は、データ信号により所要の情報が記録される記録媒体として、上記データ信号により記録される情報に関連した所要の区分を示す区分情報が、少なくとも可視的に記録されているものである。
【０００８】
このようにして、区分情報を少なくとも可視的に記録しておくことで、この区分情報をユーザに対して視覚的に提示することが可能となる。
そして、この区分情報として、例えば記録媒体に記録されるコンテンツデータの再生信号品質についての区分を示す情報を記録するものとすれば、記録媒体に対して記録されるコンテンツデータの品質を予めユーザに知らしめることが可能となる。
【発明の効果】
【０００９】
このようにして本発明によれば、記録媒体に対してデータ信号により記録される情報に関連した所要の区分情報を少なくとも視覚的に記録するものとしたことで、このような所要の区部情報を予めユーザに対して提示することができる。
そして、この区分情報として、例えば記録媒体に記録されるコンテンツデータの再生信号品質についての区分情報を記録するものとすれば、同一のメディア種別内で異なる再生信号品質によるコンテンツデータが記録される場合にもユーザの混乱を効果的に防止することができる。
【発明を実施するための最良の形態】
【００１０】
以下、発明を実施するための最良の形態（以下実施の形態とする）について説明していく。
図１は、本発明における実施の形態としての記録媒体１の外観図を示している。
実施の形態の記録媒体１としては、図示するようにしてカートリッジ３がディスク２を内部に格納して成る。
この場合、ディスク２は、エンボスピットによるデータ信号の記録が行われている、再生専用ディスクとされる。そして、その直径は、図示するように約６０mm程度とされ、例えば２層記録方式により１．８ＧＢ（ギガバイト）程度のデータ記憶容量を有する。
【００１１】
カートリッジ３は、その平面における片側半面が、図示するように内部に格納されるディスク２の円弧に沿った半円形状とされる。また、他方の片側半面が、図のように２つの角部が形成された略方形状とされている。
そして、このようなカートリッジ２のサイズ、すなわち記録媒体１の外形寸法としては、上記した半円形部の凸方向への長さ「Ａ」が約６５mm程度とされ、この半円形部の凸方向とは直交する方向の長さ「Ｂ」が約６４mm程度とされる。
【００１２】
このような実施の形態としての記録媒体１では、ディスク２に対し、オーディオデータによるコンテンツデータの記録が可能とされている。
そして、この場合のコンテンツデータとしては、仕様により、例えば以下のコーデックによる記録が可能とされている。
・ＡＴＲＡＣ（Adaptive TRansform Acoustic Cording）3plus（１．４Ｍbps）
・ＡＴＲＡＣ3plus（２５６ｋbps）
・ＡＴＲＡＣ3plus（６４ｋbps）
・リニアＰＣＭ（Pulse Code Modulation）
なお、本明細書で言うコーデックとは、記録符号化のアルゴリズムの別により区分されるものであるとする。
また、ＡＴＲＡＣ3plus（１．４Ｍbps）は仮称であり、この場合は単にＡＴＲＡＣ３plusのうち最高音質となるコーデックの一例として例示しているものである。
【００１３】
ここで、実施の形態としては、これら記録可能とされた複数のコーデックについて、その再生レート（圧縮率）に応じた再生信号品質ごとの区分を設けるものとしている。
すなわち、ディスク２に対して記録されるコンテンツデータの再生信号品質ごとの品質区分を設けるものである。
その対応表を次の図２に示す。
【００１４】
図２において、この場合の品質区分としては、図示するように「ＨＰ」「ＳＰ」「ＬＰ」を設ける。
つまり、上記したＡＴＲＡＣ3plus方式によるコーデックのうち、最も圧縮率が低く最も高音質であるとされるＡＴＲＡＣ3plus（１．４Ｍbps）のコーデックによりコンテンツデータが記録される記録媒体１については、「ＨＰ」の品質区分とする。
また、次いで圧縮率が低く、より長時間の記録は可能となるがより音質の下がるＡＴＲＡＣ3plus（２５６ｋbps）のコーデックによりコンテンツデータが記録される記録媒体１については、「ＳＰ」の品質区分とする。
さらに、最も圧縮率が高く、最も長時間の記録が可能とされるが最も低音質とされるＡＴＲＡＣ3plus（６４ｋbps）のコーデックによりコンテンツデータが記録される記録媒体１については「ＬＰ」の品質区分とする。
【００１５】
ここで、この場合においては、ディスク２に対してすべてのコンテンツデータを１種のみのコーデックにより記録する以外にも、同一コンテンツデータを異なるコーデックによりコーディングした複数のコンテンツデータを同時に記録することが可能とされる（サイマル記録と言う）。
この例では、サイマル記録として、同一コンテンツデータがそれぞれリニアＰＣＭとＡＴＲＡＣ3plus（６４ｋbps）により記録される場合が示されている。そして、このようなサイマル記録が行われる記録媒体１については、図のように「ＭＰ」の区分とする。
【００１６】
ところで、このような「ＭＰ」との対比では、上記した「ＨＰ」「ＳＰ」「ＬＰ」は、サイマル記録が行われていない記録媒体であることを示す情報となる。つまりこの場合、「ＨＰ、ＳＰ、ＬＰ」と、「ＭＰ」との区分によっては、サイマル記録が行われているか否かについての区分が表されることになる。
【００１７】
なお、サイマル記録されるコンテンツデータの各コーデックの種類としては、上記以外にも例えばＡＴＲＡＣ3plus（１．４Ｍbps）とＡＴＲＡＣ3plus（６４ｋbps）による組合わせ等、他の組み合わせも可能である。
但し、種類の如何に関わらず、サイマル記録が行われる記録媒体１については「ＭＰ」の区分となる。
【００１８】
ちなみに、この場合における、上記した各品質区分による記録媒体１におけるコンテンツデータの最大記録時間としては、図２に示されるように「ＨＰ」が３時間程度、「ＳＰ」が１６時間程度、「ＬＰ」が６４時間程度とされる。また、上記により例示した組み合わせによる「ＭＰ」の区分では３２時間程度となる。
【００１９】
そして、実施の形態では、上記したような区分を設けた上で、この区分を示す区分情報を、カートリッジ３の外面に可視的に記録するものとしている。
すなわち、次の図３（ａ）中に「Ｍ」と示すようにして、カートリッジ３の外面の所要位置に対して、記録媒体１の属する「ＨＰ」「ＳＰ」「ＬＰ」「ＭＰ」の何れかの区分情報を可視的に記録するものである。
なお、カートリッジ３の外面に対しては、図のように記録媒体１に収録されるコンテンツデータのタイトル情報等の、区分情報以外の他の情報を可視的に記録してもよい。
【００２０】
また、このような「ＨＰ」「ＳＰ」「ＬＰ」「ＭＰ」の区分情報以外にも、次の図３（ｂ）に示されるように、コーデックそのものの別を示す情報を記録することもできる。
つまり、例えば図中「Ｍ１」と示したように記録媒体１が属する区分の情報を所要位置に記録し、さらに「Ｍ２」と示すようにコーデックそのものの別を示す情報を所要位置に対して記録する。
この図３（ｂ）の例では、記録媒体１が「ＭＰ」の区分に属する場合が例示されているが、例えば上記したようにリニアＰＣＭとＡＴＲＡＣ3plus（６４ｋ）の組み合わせとされる場合には、図示するようにこれらのコーデックを示すための例えば「ＬＰＣＭ」と「ＡＴＲＡＣ3plus６４ｋ」の情報を表記するものである。
或いは、「ＭＰ」の場合は、サイマル記録される複数のコーデックのうち、最高音質となるコーデックのみを表記するものとしてもよい。
【００２１】
このようにして実施の形態の記録媒体１では、ディスク２に対して記録されたコンテンツデータの少なくとも再生信号品質についての区分情報が可視的に記録されるので、ユーザはディスク２に記録されるコンテンツデータの音質の別をたちどころに理解することができる。
これによれば、同一メディア種別によるパッケージメディア（再生専用メディア）間で記録されるコンテンツデータの音質が異なるようにされる場合にも、ユーザはそれを購入前に予め理解することができ、このように各メディアで音質が異なることに伴うユーザの混乱を効果的に防止できる。
【００２２】
また、上記したような「ＭＰ」の区分を設けることで、記録媒体１に対するサイマル記録が行われる場合にも、これをユーザに対して提示することができる。
【００２３】
また、図３（ｂ）に示したようにコーデックの別を可視的に記録することによっては、記録媒体１に記録されるコンテンツデータのコーデックの種類自体をユーザに提示することができる。
【００２４】
そして、さらに実施の形態では、上記のように区分情報を可視的に記録するものとした上で、この区分情報をディスク２に対してデータ信号によっても記録するものとし、当該記録媒体１を再生する装置側にてその読み取りが可能となるようにしている。
具体的には、このような区分情報を、ディスク２に記録されるコンテンツデータについての管理情報内に記録するものである。
【００２５】
このような区分情報としては、例えば次の図４に示すようにして構成するものとしている。
図４において、この場合の区分情報は、図示するように例えばＢｉｔ７〜Ｂｉｔ０までの８Ｂｉｔのデータにより構成する。
そして、これら８ビットのうち、先ずＢｉｔ７とＢｉｔ６は、品質区分／サイマル記録判定ビットとする。すなわち、これら２ビットの情報によって先の図２に示したような各区分（ＨＰ，ＳＰ，ＬＰ、ＭＰ）を表すものである。
【００２６】
また、Ｂｉｔ５〜Ｂｉｔ２までの４ビットは、コーデック区分判定ビットとしている。すなわち、ディスク２に対して記録されるコンテンツデータのコーデックそのものの別を表す、コーデック区分情報となる。
また、残りのＢｉｔ１とＢｉｔ０の２ビットはReservedとしている。
【００２７】
図５は、上記したＢｉｔ７とＢｉｔ６とによる品質区分／サイマル記録判定ビットの値と各区分との対応例を示している。
図のように、この場合はＢｉｔ７とＢｉｔ６の値が「００」のときは、品質区分「ＨＰ」を表すものとしている。また、同様にして値「０１」は品質区分「ＳＰ」を表し、「１０」は品質区分「ＬＰ」を表す。さらに、「１１」はサイマル記録を示す「ＭＰ」を表すものとしている。
【００２８】
また、図６には、Ｂｉｔ５〜Ｂｉｔ２によるコーデック区分判定ビットの値とコーデックの別との対応例を示す。
例えばこの場合は、これらＢｉｔ５〜Ｂｉｔ２のうち、「１」が立つビット位置に応じてコーデックの別を表すものとしている。
すなわち、Ｂｉｔ５の値が「１」とされる場合は、記録されるコンテンツデータがリニアＰＣＭのコーデックによるものであることを表す。
また、Ｂｉｔ４の値が「１」の場合は、ＡＴＲＡＣ3plus（１．４Ｍbps）のコーデックによるものであることを表す。
さらに、Ｂｉｔ３の値が「１」のときはＡＴＲＡＣ3plus（２５６ｋbps）、Ｂｉｔ２の値が「１」のときはＡＴＲＡＣ3plus（６４ｋbps）のコーデックによるものであることを表す。
逆に、各Ｂｉｔの値が「０」であるときは、そのコーデックによりコーディングされたコンテンツデータは記録されていない（未記録）ことが表される。
【００２９】
このようなコーデック区分判定ビットの設定より、例えばＢｉｔ５〜Ｂｉｔ２の値が「０１００」のときは、ＡＴＲＡＣ3plus（１．４Ｍbps）によるコンテンツデータのみが記録されていることが表されることになる。そして、これに対応しては、先のＢｉｔ７・Ｂｉｔ６による判定ビットの値は、区分「ＨＰ」に対応した「００」となるべきものとなる。
また、Ｂｉｔ５〜Ｂｉｔ２の値が例えば「１００１」である場合には、リニアＰＣＭとＡＴＲＡＣ3plus（６４ｋbps）との２つのコーデックによるコンテンツデータが記録されていることが表される。すなわち、これに対応したＢｉｔ７・Ｂｉｔ６による判定ビットの値としては、サイマル記録有りの区分「ＭＰ」を示す「１１」となるべきものとなる。
【００３０】
このようにして、区分情報がデータ信号によっても記録された記録媒体１については、その再生を行う装置側において、ディスク２に記録されたコンテンツデータの品質区分情報（及びサイマル記録有の情報）をディスプレイ上に表示するようにしておく。
これによれば、記録媒体１に対して可視的に記録された区分情報は、装置のディスプレイ上の表示により再度提示され、ユーザは区分情報を再度確認することが可能となる。
【００３１】
また、区分情報として、上記のようにしてコーデックそのものの別を表すコーデック区分情報が記録されることで、再生を行う装置側では、ディスク２に記録されるコンテンツデータの再生に必要なコーデックを確実に認識して、コンテンツデータの再生を行うことが可能となる。
【００３２】
ここで、例えば記録可能とされるコーデックの種類が多い等の理由により１つの品質区分を２以上のコーデックを含むようにした場合や、或いは上記したサイマル記録が行われる場合には、区分情報が上記した品質区分とサイマル記録の有無の区分のみとされると、装置側ではどのコーデックを再生に用いるかを判断不能となるが、このようにコーデック区分情報を別途記録しておけば、コンテンツの再生に必要なコーデックを確実に認識することができるようになる。
【００３３】
続いて、実施の形態の変形例について説明する。
この変形例としては、サイマル記録の有無を示す「ＭＰ」の区分を省略して、単純に「ＨＰ」「ＳＰ」「ＬＰ」の品質区分のみとするものである。
そして、サイマル記録が行われる記録媒体１については、複数のコーデックのうち、最も音質の高いコーデックの品質区分を可視的に記録する。すなわち、例えばサイマル記録としてＡＴＲＡＣ3plus（２５６ｋ）とＡＴＲＡＣ3plus（６４ｋ）とのコーデックによるコンテンツデータが記録される場合は、これらのうち最高音質となるＡＴＲＡＣ3plus（２５６ｋ）の属する品質区分である「ＨＰ」を表記するものである。
なお、この場合も、品質区分の表記以外にもコーデックそのものの区分を表記するものとしてもよい。
【００３４】
また、このような変更に伴い、変形例では記録媒体１にデータ信号により記録される区分情報にも変更を加える
先ず図７では、この場合の区分情報の例を示している。
図示するように、この場合もデータ信号により記録される区分情報は例えば８Ｂｉｔの情報とされる。そして、この場合は、先の図４に示したものと異なり、Ｂｉｔ７をサイマル記録判定ビットとしている。すなわち、このＢｉｔ７の「０」「１」の値の別により、サイマル記録が行われている記録媒体１であるか否かの判定を行うことができる。
そして、続くＢｉｔ６、Ｂｉｔ５は、この場合は品質区分のみを示す品質区分判定ビットとなる。
この品質区分判定ビットの値と各品質の対応関係としては、例えば図８に示すように、Ｂｉｔ６、Ｂｉｔ５の値が共に「０」である場合は「ＨＰ」とする。また、「０」「１」である場合は「ＳＰ」、「１」「０」である場合は「ＬＰ」としている。
【００３５】
さらに、Ｂｉｔ４〜Ｂｉｔ１はコーデック区分判定ビットとなる。つまり、先の図６に示したものと同様に記録媒体１に記録されるコンテンツのコーデックの別を示す情報となる。
そして、この場合はＢｉｔ０のみがＲｅｓｅｒｖｅｄとされる。
【００３６】
このような区分情報とすることで、記録媒体１について再生を行う装置では、先ずはサイマル記録判定ビットによりサイマル記録の有無を判断できる。また、これと共に、上記したコーデック区分判定ビットによって、装置側としては、サイマル記録が行われる場合も記録媒体１に記録されるコンテンツデータのそれぞれのコーデックを正確に認識できる。
そして、品質区分判定ビットとして、図８に示した対応関係とすることで、この場合の装置側では上述したような「ＨＰ」「ＳＰ」「ＬＰ」の品質区分のみでの区分情報の表示を行うことができる。
なお、当然のことながら、この場合にも装置側では、コーデック区分判定ビットの値に基づいてコーデック名の情報を表示することもできる。
【００３７】
ここで、これまでに説明してきた実施の形態では、記録媒体１（ディスク２）が再生専用のＲＯＭディスクとされる場合を例示したが、ライタブルディスクとされる場合にも本発明は好適に適用できる。
但し、この場合の区分情報の用途としては、再生専用ディスクとされる場合とは異なるものとなる。
すなわち、ライタブルディスクについて記録を行う装置側の動作として、この場合はデータ信号により記録されたコーデック区分判定ビットの情報を取得すると、その情報内容に従ってコンテンツデータの記録に用いるコーデックを自動的に選択し、そのコーデックによるコンテンツデータの記録を行うようにしておく。
記録装置側にてこのような動作が行われることを前提とすれば、先ず、この場合のユーザは、記録媒体１に可視的に記録された区分情報により、例えば購入時にこの記録媒体１に対してはその区分に応じたコーデックによりコンテンツデータを記録できるということを認識できる。すなわち、どの程度の音質・記録可能時間が得られるかを容易に理解できる。
そして、実際としても、上記したような記録装置側の動作が行われることで、結果的に可視的に記録された区分情報に応じたコーデックが自動的に選択されて、記録媒体１に対する記録動作が行われる。
つまり、このときユーザは、所望の区分情報が可視的に記録された記録媒体１を購入し、これを記録装置に装填してコンテンツデータを記録する操作を行うのみで、自動的に意図したコーデックによるコンテンツデータの記録を行うことができる。換言すれば、コーデックの選択・設定操作を不要として意図するコーデックによるコンテンツデータの記録を行うことが可能となる。
これによれば、装置の操作に不慣れなユーザとしても非常に簡易に意図したコーデックによるコンテンツデータの記録を行うことができる。
【００３８】
また、実施の形態では、区分情報がコンテンツデータの再生信号品質やコーデックについての区分を表す情報とする場合を例示したが、この他にも、例えば以下のような区分を表す情報とすることも可能である。
例えば、オーディオデータによるコンテンツデータに対して、ジャケット写真やアーチストの特典画像等の所要の画像データを付加できる仕様とされる場合を想定してみる。
このような仕様のパッケージメディアでは、オーディオデータのみが記録されるものと、オーディオデータと共に画像データが記録されるものとに区分することができる。
ユーザとしては、このような付加画像の有無に応じて、購入するパッケージメディアを選別することが考えられる。
従って、この場合の記録媒体に対しては、このような付加データの有無の区分を区分情報として記録するものとしてもよい。すなわち、このような付加データの有無を示す情報を少なくとも可視的に記録するものである。
これによれば、ユーザは予め付加データの有無を認識することができ、同じ種別のパッケージメディアであるにも関わらず付加データの有無があることによって生じる虞のあるユーザの混乱を防止できる。
【００３９】
また、実施の形態では、記録媒体に対してオーディオデータが記録される場合を例示したが、ビデオデータが記録される場合にも本発明は好適に適用できる。
【００４０】
また、実施の形態では、カートリッジ付きの記録媒体とされる場合を例示したが、ディスクのみとされる記録媒体についても本発明は好適に適用することができる。
なお、ディスクのみの場合は、可視的に記録する区分情報を例えばレーベル面における所要位置に対して記録するものとすればよい。
また、ディスクメディア以外の他のメディアとされる場合も本発明は好適に適用することができる。
例えば、半導体メモリ装置による記録媒体にも適用できる。なお、この場合としても可視的に記録される区分情報としては、装置筐体外面の所要位置に対して記録するものとすればよい。
【００４１】
また、音質の区分を示す「ＨＰ，ＳＰ，ＬＰ」の各名称はあくまで一例であり、他の名称が用いられてもよいことは言うまでもない。また、サイマル記録を示す「ＭＰ」としても他の名称が用いられてもよい。
また、実施の形態で例示した音質区分とコーデックとの対応関係としてもあくまで一例を示したものに過ぎず、これに限定されるべきものではない。
【図面の簡単な説明】
【００４２】
【図１】実施の形態としての記録媒体の外観図として、主にその構造について説明するための図である。
【図２】記録媒体に記録されるコンテンツデータのコーデックの別とその品質区分／サイマル記録の有無の対応表を示した図である。
【図３】実施の形態としての記録媒体の外観図として、可視的に記録される区分情報を例示した図である。
【図４】データ信号により記録される区分情報のデータ構造図である。
【図５】区分情報の値と品質区分／サイマル記録の有無との対応表を示した図である。
【図６】区分情報の値とコーデック区分との対応関係について示した図である。
【図７】変形例における、データ信号により記録される区分情報のデータ構造図である。
【図８】変形例における、区分情報の値と品質区分との対応関係について示した図である。
【符号の説明】
【００４３】
１  記録媒体、２  ディスク、３  カートリッジ
【図１】
2006092628.tif 000003
【図２】
2006092628.tif 000004
【図３】
2006092628.tif 000005
【図４】
2006092628.tif 000006
【図５】
2006092628.tif 000007
【図６】
2006092628.tif 000008
【図７】
2006092628.tif 000009
【図８】
2006092628.tif 000010